(57)【要約】【課題】種々の肉厚の受け金具に取り付けることができ、かつ戸の受け金具に確実に固定し、ぐらつきにくく安定した状態を得ることができるクレセント受け装置を提供する。【解決手段】引き違い戸の一方に設けられてクレセントと係合する受け金具に着脱自在に取り付けられる長板状の延長金具を有し、前記延長金具には、前記受け金具の鉤部と係合する係合孔が設けられ、この延長金具の一方の面に、その長手方向で前記係合孔から離間された位置にクレセントと係合する受鉤部が設けられているクレセント受け装置において、係合孔に受け金具の鉤部が挿通された状態でこの受け金具を延長金具とともに挟持固定する固定具が延長金具の他方の面側に設けられている。【選択図】　　　図１
2004036239.tif 000002
【特許請求の範囲】
【請求項１】
引き違い戸の一方に設けられてクレセントと係合する受け金具に着脱自在に取り付けられる長板状の延長金具を有し、前記延長金具には、前記受け金具の鉤部と係合する係合孔が設けられ、この延長金具の一方の面に、その長手方向で前記係合孔から離間された位置にクレセントと係合する受鉤部が設けられているクレセント受け装置において、
係合孔に受け金具の鉤部が挿通された状態でこの受け金具を延長金具とともに挟持固定する固定具が延長金具の他方の面側に設けられていることを特徴とするクレセント受け装置。
【請求項２】
延長金具には長手方向に沿った長孔が、前記係合孔と前記受鉤部との間に設けられており、固定具には、この長孔を介してこの固定具と延長金具とを連結する軸が設けられていることを特徴とする請求項１に記載のクレセント受け装置。
【請求項３】
前記延長金具と前記固定具とを連結する軸と、固定具とには延長金具と固定具とを互いに締め付け・解除する締め付け手段が設けられていることを特徴とする請求項２に記載のクレセント受け装置。
【請求項４】
前記軸にはネジ山が設けられ、固定具には、前記ネジ山が螺合するネジ孔が設けられており、前記締め付け手段は、前記軸と前記ネジ孔とから構成されていることを特徴とする請求項３に記載のクレセント受け装置。
【発明の詳細な説明】
【０００１】
【発明の属する技術分野】
本発明は、引き違い式の窓または戸等を半開状に施錠することができるクレセント受け装置に関する。
【０００２】
【従来の技術】
従来、この種のものには、例えば実公平５−４５２６号公報に記載されたものがある。これは、「基体の一端部には、一方の戸に固定されたクレセントに係合して施錠する受鉤部を設け、他端部には、受壁部を設けると共に、該受壁部の内側に立設した軸支部に回動可能に回動レバーを取り付け、さらに該回動レバーを線状の締付体を、受壁部の外側に位置することができるように枢着して成り、回動レバーを倒す方向に回動することによって、締付体と受壁部により他方の戸に固定された受金具に挟持せしめ得る」ものである（以下、従来例という）。
【０００３】
【発明が解決しようとする課題】
しかし、このような従来例の構成では、受け金具を挟持するために設定される締付体と受壁部との間隔を調節できないため、例えば受け金具の肉厚が１ｍｍのものを挟持するクレセント受け装置は、この肉厚以上のもの、例えば２ｍｍのものには使用できず、互換性が低いものであった。逆に、肉厚が２ｍｍの受け金具に使用していたクレセント受け装置を、肉厚１ｍｍの受け金具に取り付けようとすると、締付体と受壁部によって、十分な締め付けによる受け金具の挟持ができず、クレセント受け装置がぐらついて安定しにくいという不具合があった。
【０００４】
そこで、本発明は、種々の肉厚の受け金具に取り付けることができ、かつ戸の受け金具に確実に固定し、ぐらつきにくく安定した状態を得ることができるクレセント受け装置を提供することを目的とする。
【０００５】
【課題を解決するための手段】
上記課題を解決するために本発明は、以下の技術的手段を講じた。
すなわち、引き違い戸の一方に設けられてクレセントと係合する受け金具に着脱自在に取り付けられる長板状の延長金具を有し、前記延長金具には、前記受け金具の鉤部と係合する係合孔が設けられ、この延長金具の一方の面に、その長手方向で前記係合孔から離間された位置にクレセントと係合する受鉤部が設けられているクレセント受け装置において、係合孔に受け金具の鉤部が挿通された状態でこの受け金具を延長金具とともに挟持固定する固定具が延長金具の他方の面側に設けられていることである。
【０００６】
本発明の他の技術的手段は、延長金具には長手方向に沿った長孔が、前記係合孔と前記受鉤部との間に設けられており、固定具には、この長孔を介してこの固定具と延長金具とを連結する軸が設けられていることである。
本発明の他の技術的手段としては、前記延長金具と前記固定具とを連結する軸と、固定具とには延長金具と固定具とを互いに締め付け・解除する締め付け手段が設けられていることである。
本発明の他の技術的手段としては、前記軸にはネジ山が設けられ、固定具３には、前記ネジ山が螺合するネジ孔が設けられており、前記締め付け手段は、前記軸と前記ネジ孔とから構成されていることである。
【０００７】
【発明の実施の形態】
以下、図面を参照して本発明の実施の形態を説明する。
本発明に係るクレセント受け装置１は、引き違い戸の一方に設けられてクレセント２０と係合する受け金具２１に着脱自在に取り付けられる長板状の延長金具２を有し、前記延長金具２には、前記受け金具２１の鉤部と係合する係合孔７が設けられ、この延長金具２の一方の面に、その長手方向で前記係合孔７から離間された位置にクレセント２０と係合する受鉤部８が設けられているものである。
【０００８】
図１乃至図６に示すように、クレセント受け装置１は、長板状の延長金具２と、この延長金具２の長手方向（以下、この方向と単に長手方向といい、例えば図１において紙面上で長手方向と直交する方向を幅方向という。）に沿ってスライドする板状の固定具３とから構成される。
延長金具２にはクレセント２０と係合する受鉤部８が正面（一方の面）側に突設されており、またこの受鉤部８に長手方向で対向するように当接壁９が正面側に突設されており、受鉤部８と当接壁９とでクレセント受け部１０を構成している。
【０００９】
延長金具２の長手方向一端側には、クレセント２０の受け金具２１が挿通される係合孔７が設けられている。この係合孔７のスライド孔５側の縁部分には、受け金具２１と当接する当接壁２ａが突設されている。この係合孔７は、種々の肉厚の受け金具２１でも挿通できるように、大きめに形成されている。この実施形態では、当接壁９とこの当接壁９と対向する係合孔７の縁との長手方向の長さは、３ｍｍ程度とされていて、係合孔７は、受け金具２１の鉤部を挿通するのに十分な大きさとなっている。
【００１０】
係合孔７とクレセント受け部１０との間には、固定具３をスライド自在とするためのスライド孔５が長手方向に沿った長孔として形成されている。延長金具２の正面側で、スライド孔５周縁部分には、複数の細溝１７が正面視放射状に形成されている。
延長金具２において、スライド孔５、クレセント受け部１０を挟んでいる両側部２ｂは、図１に示すように、波形に形成されている。この波形は、一方の側部２ｂの波の谷部分と他方の側部２ｂの谷部分の長手方向の位置が一致するように形成されている。このようにすると、クレセント受け装置１を持つときに、この谷部分に指をかけてつまみやすくなる。
【００１１】
また、この延長金具２において、係合孔７とは反対の一端側の背面には、板状のクッション部材１８が設けられている。このクッション部材１８には、例えばゴム材等のエラストマー材を用いるのが望ましい。例えば、ガラス戸にクレセント受け装置１を取り付ける場合には、クッション部材１８が設けられた部分は、ガラス面に接触することとなるが、このようにエラストマー材等によるクッション部材１８を設けたことによって、ガラス面に接触しても、傷をつけることがなく、また、ガラス面に大きな衝撃を与えないようにすることができる。
【００１２】
固定具３は、延長金具２の背面側に設けられている。この固定具３は、板本体３ａと、延長金具２とこの固定具３とを連結するための軸（以下、締付軸４という）から構成される。板本体３ａの正面側には、円筒状に突設されていてスライド孔５と係合するスライドガイド３ｂが形成されている。このスライドガイド３ｂは、延長金具２と固定具３とが重合された状態で、スライド孔５と係合して、このスライド孔５に沿って長手方向にスライド自在となっている。
締付軸４は、スライド孔５（長孔）を介して延長金具２と固定具３とを連結している。この実施の形態では、締付軸４には、ネジが用いられている。この締付軸４の頭部４ａにはドライバ、コイン等を係合させるための溝が形成されており、胴部４ｂにはネジ山が形成されていて、板本体３ａに設けられたネジ孔３ｃに螺合されている。頭部４ａは略円板形状を呈し、その正面にドライバ、コイン等を係合させる溝が形成され、その側面には、ローレット切りがなされており、指で頭部４ａをつまんだときの滑り止めとなるローレット溝が形成されている（以下、他の図面において同じ）。胴部４ｂの突端部は、ねじ孔の内径よりも大きく広げられていて抜け止め不能とするように円板状の抜け止め部４ｃが形成されている。この様な構成により、締付軸４は、板本体３ａと一体とされてスライド孔５と係合して長手方向にスライド自在となっている。
【００１３】
以上により、延長金具２と固定具３は、締付軸４によって連結されることになるが、この締付軸４を回動させることで、重合状とされた延長金具２と固定具３との肉厚方向の間隔を調整できるようになっている。このように、延長金具２と固定具３との間隔を調整することで締め付けを行う手段を締め付け手段１１という。この実施の形態では、締め付け手段１１は、固定具３に設けられたネジ孔３ｃと、延長金具２に設けられたスライド孔５を介して前記ネジ孔３ｃに螺合されるネジ山を備えた締付軸４により構成されている。
【００１４】
以上により、クレセント受け装置１は、締付軸４とネジ孔３ｃの螺合により、受け金具２１を挟持する延長金具２と固定具３とを締付・解除自在とする構成になっている。
また、胴部４ｂは延長金具２のスライド孔５に挿通されていて、これにより、延長金具２と固定具３は一体となっている。頭部４ａと延長金具２との間にはワッシャがかませてある。図２に示すように、固定具３は、ネジ孔３ｃよりも前記係合孔７よりの部分が正面側から背面側に向かう方向に反り返るように折曲されている。この折曲角度θは約１°とされている。
【００１５】
図３に示すように、延長金具２の背面には、固定具３と係合する係合溝６が長手方向に沿って形成されている。固定具３は、この係合溝６に嵌っていて、長手方向にスライドさせたときに幅方向にずれないようになっている。
クレセント受け装置１を受け金具２１に取り付けるには、以下のようにする。
図４に示すように、クレセント受け装置１を持って受け金具２１の鉤部を係合孔７に挿通させて引っかけるようにする。
そして、締付軸４の頭部４ａをつまんで受け金具２１側にスライドさせる。これにより、固定具３は受け金具２１の背面側にまわり込むようにスライドされ、延長金具２と固定具３とで受け金具２１を挟んだ状態となる。このとき、固定具３の折曲部の正面と受け金具２１の背面が接触することにより、クレセント受け装置１は全体として、クレセント受け部１０が設けられている側が受け金具２１が設けられている戸の方へ傾いて、クッション部材１８が戸のガラス面に接触した状態となる。そして締付軸４を締め付ける方向に回すことによって、延長金具２は、締付軸４と固定具３とによって締め付けられることになる。
【００１６】
このときの締め付け力によって、固定具３は固定具３とともに受け金具２１を挟持することとなり、クレセント受け装置１は受け金具２１に固定されることとなる。また、スライド孔５の周縁部に形成された細溝１７は、締付軸４をきつく締め付けたときに、この締め付けがゆるまないように、すなわち、延長金具２を締め付けている締付軸４の頭部４ａがネジのゆるむ方向にまわりにくくするための滑り止めの役割を果たすこととなる。
クレセント錠の施錠は、クレセント受け部１０がクレセント２０の回動軌道と一致するように戸をずらして、クレセント２０を回動させ、受鉤部８に引っかけるようにして係合させることによってなされる。
【００１７】
上記実施の形態によれば、係合孔７に、挿通された受け金具２１を延長金具２と固定具３とで挟持固定することによって、確実に固定でき、クレセント受け装置１は、受け金具２１に取り付けたときに、ぐらつきにくく安定した状態を得ることができるようになる。
しかも、係合孔７は受け金具２１を挿通するための十分な大きさを有しているので肉厚の異なる種々の受け金具２１に取り付けることができる。
また、締付軸４を回転させて延長金具２を締めることによって、延長金具２と固定具３に受け金具２１を挟持するために十分な挟持力を与えることができ、これによって、クレセント受け装置１は、受け金具２１に取り付けたときに、ぐらつきにくく安定した状態を得ることができるようになる。
【００１８】
さらに、クレセント受け装置１を受け金具２１に取り付けたときには、板状のクッション部材１８が例えば戸のガラス面と面接触することで、上下方向にずれにくくなり、これによっても安定した状態が得られることとなる。
延長金具２の正面において、スライド孔５の周縁部分には細溝１７が形成されているので、締付軸４を回動させて締め付けたときに、この細溝１７が滑り止めとなって、締め付けがゆるむことを防止することとなり、これによっても、確実なクレセント受け装置１の固定ができ、ぐらつきにくく安定した状態を得ることができるようになる。
【００１９】
図７乃至図９は、本発明の他の実施の形態を示している。
この実施の形態におけるクレセント受け装置１が、図１乃至図６に示したクレセント受け装置１と異なるのは、延長金具２と固定具３の幅方向のズレを規制する規制機構１３を備えている点にある。
この規制機構１３は、固定具３に設けられた規制孔１４と、延長金具２に設けられた規制ピン１５とから構成される。
規制孔１４は、長手方向に沿った長孔として固定具３に設けられている。また、この規制孔１４は、スライド孔５と平行となるように形成されている。したがって、締付軸４をスライド孔５に沿ってスライドさせるとこれに伴って、規制ピン１５は、規制孔１４に沿ってスライドするようになっている。
【００２０】
規制ピン１５は、規制孔１４に挿通された状態でピン軸を中心に回転自在とされて、延長金具２に設けられている。この規制ピン１５には、例えば、リベット状のものが用いられる。
このように規制機構１３を設けたことによって、固定具３が締付軸４を中心として回動することによって、延長金具２と固定具３とが幅方向でずれるのを規制することができることとなる。この実施の形態のように規制機構１３が設けられている場合には、固定具３が係合する係合溝６は設けられてなくてもよい。
【００２１】
その他の構成は図１乃至図６に示したクレセント受け装置１と同様の構成である。
図１０、図１１は、本発明のさらなる他の実施の形態を示している。
この実施の形態では、延長金具２に設けられた丸孔５ａに締付軸４が挿通され、この締付軸４によって、延長金具２と固定具３とが連結されている。延長金具２の背面には、固定具３が嵌る係合溝６は形成されていない。固定具３は、この実施の形態では、締付軸４を中心として、回動自在とされている。
【００２２】
延長金具２の背面には、回動板３が長手方向と平行となる位置で、この回動板３を係止する第１ストッパ２３が設けられている。この第１ストッパ２３は、延長金具２の背面に突起状に設けられている。
また、この延長金具２の背面には、回動板３が幅方向と平行となる位置で、この回動板３をを係止する第２ストッパ２４が設けられている。第２ストッパ２４は、第１ストッパ２３と同様に延長金具２の背面に突起状に設けられている。この実施の形態では、固定具３が第１ストッパ２３によって、係止されている状態、すなわち、図１０、図１１において、固定具３が実線で示された位置にある状態を、第１姿勢といい、固定具３が二点鎖線で示された位置で第２ストッパ２４によって、係止された状態を第２姿勢という。
【００２３】
その他の構成は図１乃至図６で示した実施の形態と同様の構成である。
この実施の形態では、クレセント受け装置１の受け金具２１への取り付けは、以下のようにする。
まず、固定具３を第２姿勢にしたままで、係合孔７に受け金具２１の鉤部を挿通する。
次に、第２姿勢にある固定具３を受け金具２１の方へ回動させて固定具３を受け金具２１の背面側に位置させて第１姿勢にし、受け金具２１を延長金具２と固定具３とで挟んだ状態にする。そして、締付軸４をネジが閉まる方向に回転させて締め付けてる。このように、延長金具２と固定具３とで受け金具２１を挟持固定することで、クレセント受け装置１は受け金具２１に取り付けられる。
【００２４】
この実施の形態のように、固定具３を締付軸４を中心として回動自在とした構成とすることによって、図１乃至図６の実施の形態と同様に、係合孔７に、挿通された受け金具２１を延長金具２と固定具３とで挟持固定することによって、確実に固定でき、クレセント受け装置１は、受け金具２１に取り付けたときに、ぐらつきにくく安定した状態を得ることができるようになる。
しかも、係合孔７は受け金具２１を挿通するための十分な大きさを有しているので肉厚の異なる種々の受け金具２１に取り付けることができる。
【００２５】
また、締付軸４を回転させて延長金具２を締めることによって、延長金具２と固定具３に受け金具２１を挟持するために十分な挟持力を与えることができ、これによって、クレセント受け装置１は、受け金具２１に取り付けたときに、ぐらつきにくく安定した状態を得ることができるようになる。
なお、本発明は、上記した実施の形態に限らず、以下のように種々の変形が可能である。
固定具３の折曲角度θは１°よりも大きくしてもよい。
【００２６】
クッション部材１８は、板状に限らず、例えば半球状や、棒状といった他の種々の形状のものを用いてもよく、またこのクッション部材１８の表面（ガラス面等と接触する面）に両面テープを貼り付けて、このテープをガラス面等に接着させて、この接着力によってクレセント受け装置１を安定させるようにしてもよい。また、このクッション部材１８の材質としては、エラストマー材に限らず、フェルト材、布材等、他の種々の材料を用いてもよい。
クレセント受け部１０は、上記実施の形態では２つ設けられているが、この数の増減は自由に行ってよい。
【００２７】
固定具３は板状に限らず、例えば棒状のものを用いるようにしてもよい。
上記の実施の形態では、締め付け手段１１は、固定具３に設けられたネジ孔３ｃと、延長金具２に設けられたスライド孔５を介して前記ネジ孔３ｃに螺合されるネジ山を備えた締付軸４により構成されていたが、この構成に限らず、例えば、偏心カムを用いたもの、ラチェット機構を利用したもの等、種々の締め付けに用いる手段を用いるようにしてもよい。
図１０、図１１で説明した実施の形態では、延長金具２に設けられた丸孔５ａに締付軸４が挿通されて延長金具２と固定具３とが連結されていたが、この丸孔５ａを図１乃至図６で示した実施の形態のように長手方向に沿った長孔（スライド孔５）に形成し、固定具３を長手方向にスライド自在とし、かつ、締付軸４を中心として回動自在とする構成にしてもよい。
【００２８】
第１ストッパ２３、第２ストッパ２４を延長金具２に設けず、固定具３を締付軸４を中心として回転自在とする構成を採用してもよい。
【００２９】
【発明の効果】
本発明によれば、種々の肉厚の受け金具に取り付けることができ、かつ戸の受け金具に確実に固定して、ぐらつきにくく安定した状態を得ることができる。
【図面の簡単な説明】
【図１】クレセント受け装置を受け金具に装着した状態を示す正面図である。
【図２】クレセント受け装置を示す側断面図である。
【図３】クレセント受け装置を示す背面図である。
【図４】クレセント受け装置の取付要領を示す正面図である。
【図５】クレセント受け装置の取付要領を示す正面図である。
【図６】クレセント受け装置に施錠をした状態を示す斜視図である。
【図７】他の実施の形態を示すクレセント受け装置の正面図である。
【図８】他の実施の形態を示すクレセント受け装置の側面図である。
【図９】他の実施の形態を示すクレセント受け装置の背面図である。
【図１０】他の実施の形態を示すクレセント受け装置の正面図である。
【図１１】他の実施の形態を示すクレセント受け装置の背面図である。
【符号の説明】
１　クレセント受け装置
２　　延長金具
３　　固定具
３ｃ　ネジ孔
４　軸
５　長孔
６　係合溝
７　係合孔
８　受鉤部
１１　締め付け手段
２０　クレセント
２１　受け金具
【図１】
2004036239.tif 000003
【図２】
2004036239.tif 000004
【図３】
2004036239.tif 000005
【図４】
2004036239.tif 000006
【図５】
2004036239.tif 000007
【図６】
2004036239.tif 000008
【図７】
2004036239.tif 000009
【図８】
2004036239.tif 000010
【図９】
2004036239.tif 000011
【図１０】
2004036239.tif 000012
【図１１】
2004036239.tif 000013